(57)【要約】【課題】簡単な構成で且つ安価にレーザーダイオードの変動に対して安定な画質を保持するＣＡＴＶ光伝送装置を提供する【解決手段】ヘッドエンドから送出されたＣＡＴＶ信号を電気／光変換して光ファイバーで伝送するＣＡＴＶ光伝送装置において，少なくとも，自動光出力制御回路と，前記ＣＡＴＶ信号によって直接輝度変調されるレーザーダイオードと，前記自動光出力制御回路の制御を行うフォトダイオードと，を備えた電気／光変換部の直前に，当該レーザーダイオードの変調効率の温度特性と反対の特性を有する温度補償回路を備えたことを特徴としたＣＡＴＶ光伝送装置。【特許請求の範囲】
【請求項１】
ヘッドエンドから送出されたＣＡＴＶ信号を電気／光変換して光ファイバーで伝送するＣＡＴＶ光伝送装置において，
少なくとも，自動光出力制御回路と，
前記ＣＡＴＶ信号によって直接輝度変調されるレーザーダイオードと，
前記自動光出力制御回路の制御を行うフォトダイオードと，
を備えた電気／光変換部の直前に，前記レーザーダイオードの変調効率の温度特性と反対の特性を有する温度補償回路を備えたことを特徴としたＣＡＴＶ光伝送装置。
【請求項２】
前記電気／光変換部は，少なくとも前記ＣＡＴＶ信号によって直接輝度変調されるレーザーダイオードと，自動光出力制御を行うフォトダイオードと，が同一筐体に収納されたレーザーモジュールからなることを特徴とした請求項１に記載のＣＡＴＶ光伝送装置。
【請求項３】
前記温度補償回路は，ＣＡＴＶ信号が流れる信号線に温度検出素子を介設し，当該温度検出素子の前後に夫々抵抗素子を信号線と共通線との間に配列してなることを特徴とした請求項１又は請求項２に記載のＣＡＴＶ光伝送装置。
【発明の詳細な説明】
【技術分野】
【０００１】
本発明は，主にＣＡＴＶ信号を電気／光変換して，光ファイバーで伝送するＣＡＴＶ光伝送装置に関する。
【背景技術】
【０００２】
従来のＣＡＴＶ光伝送装置は，ヘッドエンドから送出された信号が光送信部から光ファイバーを介して光受信部と接続されている。
ヘッドエンドから送出されたＣＡＴＶ信号は光送信部において可変減衰器で所定レベルに設定され，更に増幅器で所定レベルの増幅された後，自動光出力制御（ＡＰＣ）回路を介してレーザーダイオードを直接輝度変調することによって光出力として光ファーバーに送出されていた。
このレーザーダイオードはサーミスタやベルチェ素子等を内蔵させたレーザーダイオードモジュールとして構成されており，自動温度調節（ＡＴＣ）回路と接続されて，レーザーダイオードモジュール内の温度が一定となるように制御することで，周囲温度の変化によってレーザーダイオードの制御電流が変化し，この結果レーザーダイオードの変調効率が変動しＣＡＴＶ光伝送装置の出力レベルやＣ／Ｎが変化することの内容に構成していた。
（例えば，特許文献１参照）
【０００３】
【特許文献１】特開平５−２５２５１８号公報
【発明の開示】
【発明が解決しようとする課題】
【０００４】
しかし，従来の構成によれば，レーザーダイオードモジュールに冷却阻止であるベルチェ素子や温度検出素子であるサーミスタ等を内蔵させて温度補償を行う場合，回路が複雑になると共にレーザーダイオードモジュールのコストが高く，延いては製品のコストアップの要因となっていた。更に，ベルチェ冷却素子の温度制御電流から生ずるケース本体の発熱による特性劣化を防止するために，放熱器を取り付ける必要が生じることなどから製品のコストアップになっていた。
そこで本願においては，こうした問題点を解決するためになされたものであり，
その目的は，レーザーダイオードの変動に対して安定な画質を保持するＣＡＴＶ光伝送装置を提供することにある。
他の目的は，簡単な構成で且つ安価にレーザーダイオードの変動に対して安定な画質を保持するＣＡＴＶ光伝送装置を提供することにある。
他の目的は，周囲温度が変化しても出力のＣ／Ｎが安定的に得られるＣＡＴＶ光伝送装置を提供することにある。
【課題を解決するための手段】
【０００５】
上記課題を解決するために，請求項１の発明は，ヘッドエンドから送出されたＣＡＴＶ信号を電気／光変換して光ファイバーで伝送するＣＡＴＶ光伝送装置において，少なくとも，自動光出力制御回路と，前記ＣＡＴＶ信号によって直接輝度変調されるレーザーダイオードと，前記自動光出力制御回路の制御を行うフォトダイオードと，を備えた電気／光変換部の直前に，当該レーザーダイオードの変調効率の温度特性と反対の特性を有する温度補償回路を備えるように構成される。
【０００６】
請求項２の発明は，請求項１において前記電気／光変換部は，少なくとも前記ＣＡＴＶ信号によって直接輝度変調されるレーザーダイオードと，自動光出力制御を行うフォトダイオードと，が同一筐体に収納されたレーザーモジュールから構成される。
【０００７】
請求項３の発明は，請求項１又は請求項２に記載の前記温度補償回路は，ＣＡＴＶ信号が流れる信号線に温度検出素子を介設し，当該温度検出素子の前後に夫々抵抗素子を信号線と共通線との間に配列してなる。
【発明の効果】
【０００８】
請求項１の発明によれば，ヘッドエンドから送出されたＣＡＴＶ信号を電気／光変換して光ファイバーで伝送するＣＡＴＶ光伝送装置において，少なくとも，自動光出力制御回路と，前記ＣＡＴＶ信号によって直接輝度変調されるレーザーダイオードと，前記自動光出力制御回路の制御を行うフォトダイオードと，を備えた電気／光変換部の直前に，当該レーザーダイオードの変調効率の温度特性と反対の特性を有する温度補償回路を備えるように構成したので，簡単な構成で且つ安価にレーザーダイオードの周囲温度の変動に対して安定な画質を保持するＣＡＴＶ光伝送装置を提供することができる。
【０００９】
請求項２の発明によれば，前記電気／光変換部は，少なくとも前記ＣＡＴＶ信号によって直接輝度変調されるレーザーダイオードと，自動光出力制御を行うフォトダイオードと，が同一筐体に収納されたレーザーモジュールからなるよう構成したので，既存のレーザーモジュールを用いても，このモジュールの直前に温度補償回路を備えさせるだけで，レーザーダイオードの周囲温度の変動に対して安定な画質を保持するＣＡＴＶ光伝送装置を提供することができる。
【００１０】
請求項３の発明によれば，請求項２又は請求項３の発明において，前記温度補償回路は，ＣＡＴＶ信号が流れる信号線に温度検出素子を介設し，当該温度検出素子の前後に夫々抵抗素子を信号線と共通線との間に配列してなるように構成したので，簡単な構成でレーザーダイオードの周囲温度の変動に対して安定な画質を保持するＣＡＴＶ光伝送装置を提供することができる。
【発明を実施するための最良の形態】
【００１１】
以下に，本発明を具体化した実施形態の例を，図面を基に詳細に説明する。図１は本発明に係るＣＡＴＶ光伝送装置のブロック図。図２は本発明に係る温度補償回路の実施例を示す。
【実施例１】
【００１２】
本願に示すＣＡＴＶ光伝送装置は，光送信部１０と光受信部２０とを光ファイバーケーブル１２を介して接続したＣＡＴＶシステムである。
ヘッドエンド装置１から送出された信号は，同軸ケーブルを介して光送信部１０に入力される。
光送信部１０では，入力されたＣＡＴＶ信号が可変減衰器２によって所定レベルに設定され，この信号は増幅器３で所定レベルまで増幅された後，温度補償回路４を通過して，レーザーダイオードモジュール５に備えられたレーザーダイオード駆動回路によってレーザーダイオード７を直接輝度変調するように構成されている。
レーザーダイオード７において生成された光信号は光ファイバー８，光コネクター９に接続されて光送信部１０から出力される。この光送信部１０によって出力された光信号は光ファイバーケーブル１２を介して光受信部２０に入力される。光受信部２０は光ファイバケーブル１２と接続された光コネクター１３，光信号を電気信号に変換するＯ／Ｅ変換部１４と，光信号からＣＡＴＶ信号に変換された信号を所定レベルまで増幅する増幅器１５と，当該増幅器１５からの出力を所定レベルに調整するための可変減衰器１６等から構成されている。
【００１３】
ここで光送信部１０を構成する温度補償回路４について詳しく説明する。一般的にレーザーダイオードによる電気信号から光信号への変換を考えると，広い温度範囲にわたって安定した光出力を得るために，温度の変化に伴って電流を変化させるＡＰＣ（Ａｕｔｏｍａｔｉｃ  Ｐｏｗｅｒ  Ｃｏｎｔｒｏｌ  以下ＡＰＣと呼ぶ）回路１１を備えさせている。
ところがこのＡＰＣ回路１１による制御だけでは，レーザーダイオードの制御電流変化による特性の変化は避けられないため，周囲温度の変化に対してレーザーダイオードの制御電流変化を小さくするためにレーザーダイオードチップ温度を一定に制御するよう，ＡＴＣ（Ａｕｔｏｍａｔｉｃ  Ｔｅｍｐｅｒａｔｕｒｅ  Ｃｏｎｔｒｏｌ  以下ＡＴＣと呼ぶ）回路を備える方法がある。
しかし，ＡＴＣ回路には温度検出素子であるサーミスタや冷却素子であるベルチェ素子等を使う必要があり部品が高価になると共に回路が複雑になり，更に，ベルチェ冷却素子の温度制御電流から生ずるケース本体の発熱による特性劣化を防止するために，放熱器を取り付ける必要が生じることなどから製品のコストアップになっていた。
【００１４】
そこで，本発明のＣＡＴＶ光伝送装置１０では，前記ＡＴＣ回路が無くとも光出力信号の出力レベルとＣ／Ｎが一定の値を得られるようにするものであり，ＣＡＴＶ信号をレーザーダイオードに入力する直前に，ＣＡＴＶ信号のレベルを制御する温度補償回路４を設けることで簡単な構成で且つ安価に実現させるものである。
即ち，ＣＡＴＶ光伝送装置１０の使用温度範囲におけるレーザーダイオード７の変調効率に対応する温度補償回路４を挿入するものであり，本願の実施例では，ＣＡＴＶ信号が流れる信号線に温度検出素子であるサーミスタ４ａ（本願では負の温度特性を有する）を介設し，当該サーミスタ４ａの前後に夫々抵抗素子４ｂ，４ｃを信号線と共通線との間に配列してなる温度補償回路が設けられている。
【００１５】
この回路によれば，周囲温度が高くなった場合,サーミスタ４ａの抵抗が減少することによりこの温度補償回路４の合成抵抗が小さくなり，また周囲温度が低くなった場合，サーミスタ４ａの抵抗が大きくなることによりこの温度補償回路４の合成抵抗が大きくなるように動作する。したがってレーザーダイオード７を直接輝度変調させるＣＡＴＶ信号レベルは，周囲温度が高くなると増加し，周囲温度が低くなると減少するのである。
一方，一般的にレーザーダイオード７は温度が変わると変調効率が変化し，温度が上昇すると変調効率が低下し，温度が低くなると変調効率が高くなる。
そこで上記温度補償回路４の温度特性を，レーザーダイオード７の温度特性に対して最適化することにより，周囲温度が上昇したときは温度補償回路４の通過損失が小さくなり，レーザーダイオード７に入力されるＣＡＴＶ信号のレベルが高くなることで，受信機２０の出力においてＣ／Ｎが低下するのを防ぎ，逆に，周囲温度が下がったときは温度補償回路４の通過損失が大きくなり，レーザー駆動回路に入力されるＣＡＴＶ信号のレベルを低くすることで受信機２０の出力においてＣ／Ｎが上昇するのを防ぐことにより，この結果受信機２０の出力のＣ／Ｎを一定にできるのである。
【００１６】
このように構成されたＣＡＴＶ伝送装置の送信部１０を用いたシステムについて説明する。
レーザーダイオード７において生成された光信号は光ファイバー８，光コネクター９に接続されて光送信部１０を形成している。この光送信部１０によって出力された光信号は光ファイバーケーブル１２を介して光受信部２０に入力される。光受信部２０は光ファイバケーブル１２と接続された光コネクター１３，光信号を電気信号に変換するＯ／Ｅ変換部１４と，バイアス・整合回路と，光信号からＣＡＴＶ信号に変換された信号を所定レベルまで増幅する増幅器１５と，当該増幅器１５からの出力を所定レベルに調整するための可変減衰器等１６から構成されている。
従って本発明のＣＡＴＶ光送信装置を用いれば，光受信部２０の出力１７におけるシステムの出力レベル及びＣ／Ｎを一定に保つことができるのである。
尚，本発明は上記実施の形態に限定されるものではなく，以下に例示するように，本発明の趣旨を逸脱しない範囲で各部の構成を適宜に変更して実施することも可能である。
【図面の簡単な説明】
【００１７】
【図１】本発明に係るＣＡＴＶ光伝送装置のブロック図。
【図２】本願の温度補償回路の実施例を示す。
【符号の説明】
【００１８】
１…ヘッドエンド，２…自動利得調整回路，３…増幅器，４…温度補償回路，５…レーザーダイオードモジュール，６…フォトダイオード，７…レーザーダイオード，８…光ファイバ，９…光コネクタ，１０…光送信機，１１…光コネクタ，１２…光ファイバケーブル，１３…光コネクタ，１４…光／電気変換部，１５…増幅器，１６…可変減衰器，２０…光受信機
【図１】
2005277521.tif 000002
【図２】
2005277521.tif 000003